(57)【要約】      （修正有）【課題】子供が水浴び等をしている間、直射日光を容易に遮ることができる容器状遊戯具セットを提供する。【解決手段】収縮変更可能なプール本体１と、組み立て式日除け用具２とが分離可能に組み合わされてなり、水が満たされたプール本体１に差す直射日光を遮光可能な日除け用具を、プール本体に満たされている水Ｗの重みを利用して固定する日除け用具移動防止手段３が備えられている容器状遊戯具セット。【選択図】図３
0003113864.tif 000002
【実用新案登録請求の範囲】
【請求項１】
収縮変更可能な容器状遊戯具本体と、組み立て式日除け用具とが分離可能に組み合わされてなり、内容物が満たされた前記容器状遊戯具本体に差す直射日光を遮光可能な前記日除け用具を、前記容器状遊戯具本体に満たされている内容物の重みを利用して固定する日除け用具移動防止手段が備えられている容器状遊戯具セット。
【請求項２】
前記日除け用具には、前記容器状遊戯具本体の据え置き面に敷かれる下敷き材が日除け移動防止手段として配備されていて、前記容器状遊戯具本体が下敷き材の上に置かれて、前記下敷き材が前記容器状遊戯具本体に満たされている内容物で押さえ付けられることにより、前記日除け用具を前記容器状遊戯具本体に満たされている内容物の重みを利用して固定する構成とした請求項１記載の容器状遊戯具セット。
【請求項３】
前記日除け用具には、可撓性を有する二本の骨材用ロッドと、シート状の日除け本体が配備されていて、前記日除け用具が組み立てられる際、前記二本の骨材用ロッドがアーチ頂上において十字状に交差した状態でアーチ状に変形させられると共に、アーチ状に変形させた前記骨材用ロッドに前記日除け本体が拡げられた状態で係止される構成とした請求項１又は２記載の容器状遊戯具セット。
【請求項４】
前記下敷き材に前記骨材用ロッドの各端部が嵌め込めるロッド係止孔がそれぞれ付設されていて、前記骨材用ロッドの各端部が前記ロッド係止孔に諦め込まれて係止されることにより前記骨材用ロッドがアーチ状に変形される構成とした請求項３記載の容器状遊戯具セット。
【請求項５】
前記骨材用ロッドは、寸法の短い複数のロッドピースからなり、これら複数のロッドピースが長手方向の端で分離可能に一本に継ぎ合わせられる構成とした請求項３又は４記載の容器状遊戯具セット。
【考案の詳細な説明】
【技術分野】
【０００１】
本考案は容器状遊戯具セットに関し、詳しくは、水浴び用プールのような、収縮可能で、水などを注入して収納できる容器状遊戯具本体を有する容器状遊戯具セットに関する。
【背景技術】
【０００２】
従来、子供らが水浴びをして遊ぶ時などに用いられる水浴び用プールとして、繰り返し再折り畳み可能な折り畳み式の拡縮変更可能に構成したものがある。従来の水浴び用プールの場合、使用する時には、図１３に示すように、空気を注入することによって水浴び用プールＱを夕ライ状に膨らませ、水浴び用の水Ｗを注入する。水浴びが終われば、水Ｗを排出すると共に、水浴び用プールＱの空気を抜き、折り畳むことにより縮小して保管する。
【考案の開示】
【考案が解決しようとする課題】
【０００３】
しかしながら、水浴び用プールＱが、多くの場合、真夏の暑い日にベランダや玄関先などの室外で使われるため、上記従来技術の水浴び用プールは、水浴びをして遊ぶ子供らが、直射日光に晒されがちで、子供らが過度の日焼けをするという問題がある。
【０００４】
もっとも、水浴び用プールＱの横ヘビーチパラソル等を拡げて立て、水浴び用プールＱに差す直射日光を遮ることも考えられる。しかしながら、ビーチパラソルの場合、設置が不安定であり、風の強い日には飛ばされる可能性があるうえ、水浴び用プールＱの大きさに合った寸法のパラソルを、容易に見つけることも難しい。つまり、水浴び用プールＱを利用する子供らに照射される直射日光を遮るに適した日除け具は、簡単に用意できるものではない。
【０００５】
そこで、本考案は上記従来技術の実情に鑑みてなされたものであり、その課題は、子供が水浴び等をしている間、直射日光を容易に遮ることができる容器状遊戯具セットを提供することにある。
【課題を解決するための手段】
【０００６】
上記課題は、各請求項記載の考案により達成される。すなわち、本考案に係る容器状遊戯具セットの特徴構成は、収縮変更可能な容器状遊戯具本体と、組み立て式日除け用具とが分離可能に組み合わされてなり、内容物が満たされた前記容器状遊戯具本体に差す直射日光を遮光可能な前記日除け用具を、前記容器状遊戯具本体に満たされている内容物の重みを利用して固定する日除け用具移動防止手段が備えられていることにある。
【０００７】
この構成によれば、使用時において、折り畳み状態あるいは分解状態にある収縮した容器状遊戯具本体や日除け用具が拡げられたり、組み立てられたりすると共に、拡げられたり、組み立てられたりした容器状遊戯具本体と日除け用具とが容器状遊戯具本体に差す直射日光が日除け用具で遮られるように配置される一方、容器状遊戯具本体に水浴び用の水などが入れられると、水浴びに必要な準備が完了する。水浴びをする者は、日除け用具が容器状遊戯具本体に差す直射日光を遮るので、直射日光に晒されることなく水浴びを楽しむことができる。水浴びが終われば、容器状遊戯具本体から水を排出して、拡げたり、組み立てたりした容器状遊戯具本体と日除け用具を、再び折り畳んだりなど縮小して、保管することができる。
【０００８】
しかも、本考案の容器状遊戯具セットの場合、使用中は、日除け移動防止手段が日除け用具を容器状遊戯具本体に満たされている水などの内容物の重みを利用して固定されるので、日除け用具が風で飛ぶなどして移動してしまう心配がない。
【０００９】
加えて、本考案の容器状遊戯具セットの場合、容器状遊戯具本体に日除け用具が組み合わされているので、容器状遊戯具本体の大きさに合った日除けを探す必要が全く無い。
【００１０】
その結果、本考案によれば、水浴びをしている間、直射日光を容易に遮ることができる容器状遊戯具セットを提供することができた。
【００１１】
本考案の好ましい実施形態として、前記日除け用具には、前記容器状遊戯具本体の据え置き面に敷かれる下敷き材が日除け移動防止手段として配備されていて、前記容器状遊戯具本体が下敷き材の上に置かれて、前記下敷き材が前記容器状遊戯具本体に満たされている内容物で押さえ付けられることにより、前記日除け用具を前記容器状遊戯具本体に満たされている内容物の重みを利用して固定する構成とした形態が挙げられる。
【００１２】
この実施形態によれば、容器状遊戯具本体の据え置き面に敷かれる下敷き材を日除け移動防止手段として日除け用具に配備しておき、下敷き材の上に水浴び用の水が満たされた容器状遊戯具本体が置かれるようにすることで、容器状遊戯具本体に満たされている水などの内容物の重みを利用して日除け用具を固定できるので、容器状遊戯具本体に差す直射日光を、より容易に遮ることができる。しかも、下敷き材を設けることによって、野外など室外で使用する際、容器状遊戯具本体の底面に、破れやピンホールなどの損傷が生じるのを防止できる。
【００１３】
本考案の他の好ましい実施形態として、下敷き材を底面積よりも広い構成とした形態が挙げられる。
【００１４】
この実施形態によれば、下敷き材である防水性シートは容器状遊戯具本体の底面積よりも広いので、下敷き材の上に水浴び用の水が満たされた容器状遊戯具本体が置き易いのに加え、防水性シートが容器状遊戯具本体から漏れた水で容器状遊戯具本体の据え置き面（例えば床面）が濡れるのを防ぎ易くなる。
【００１５】
本考案の他の好ましい実施形態として、前記日除け用具には、可撓性を有する二本の骨材用ロッドと、シート状の日除け本体が配備されていて、前記日除け用具が組み立てられる際、前記二本の骨材用ロッドがアーチ頂上において十字状に交差した状態でアーチ状に変形させられると共に、アーチ状に変形させた前記骨材用ロッドに前記日除け本体が拡げられた状態で係止される形態が挙げられる。
【００１６】
この実施形態によれば、可撓性を有する二本の骨材用ロッドを十字状に組み合わせてアーチ状に変形させておき、骨材用ロッドに日除け本体を拡げた状態で係止することで、テント状の日除け用具を組み立てることができる。
【００１７】
本考案の他の好ましい実施形態として、前記下敷き材に前記骨材用ロッドの各端部が嵌め込めるロッド係止孔がそれぞれ付設されていて、前記骨材用ロッドの各端部が前記ロッド係止孔に諦め込まれて係止されることにより前記骨材用ロッドがアーチ状に変形される構成とした形態が挙げられる。
【００１８】
この実施形態によれば、下敷き材に付設されているロッド係止孔に骨材用ロッドの各端部を嵌め込むことで、骨材用ロッドをアーチ状に変形させられる。
【００１９】
本考案の他の好ましい実施形態として、前記骨材用ロッドは、寸法の短い複数のロッドピースからなり、これら複数のロッドピースが長手方向の端で分離可能に一本に継ぎ合わせられる構成とした形態が挙げられる。
【００２０】
この実施形態によれば、骨材用ロッドの使用時だけ複数のロッドピースを長手方向の端で継ぎ合わせて一本にし、骨材用ロッドの不便用時は複数のロッドピースを分離して短くした状態で骨材用ロッドを収納・保管できる。
【００２１】
本考案の他の好ましい実施形態として、シート状の日除け本体を、実質的に容器状遊戯具本体の上方を中心に覆うだけの広さとした形態が挙げられる。
【００２２】
この実施形態によれば、容器状遊戯具本体の側方が実質的に開けているので、出入りし易いうえに、容器状遊戯具本体の周りの状況を把握し易い。
【考案を実施するための最良の形態】
【００２３】
本考案の実施の形態を、図面を参照して詳しく説明する。図１は、本実施形態の容器状遊戯具セットを構成する容器状遊戯具本体を拡張させ膨張させた状態で示す斜視図、図２は本容器状遊戯具セットを構成する日除けテント（日除け用具の１種）を組み立てた状態で示す斜視図、図３は本実施形態に係る容器状遊戯具セットの使用状態を示す斜視図である。
【００２４】
この容器状遊戯具セットとして、図１〜図３に示すように、水浴び用プールセットに利用した例を挙げて説明する。収縮変更可能な折り畳み式の容器状遊戯具本体であるプール本体１と、組み立て式の日除けテント２とが組み合わされていて、水浴びをしようとする時は、折り畳み状態のプール本体１は、空気注入口（図示省略）を開いて空気を十分に注入してから空気注入口を閉じることにより、図１に示すように、夕ライ状に拡げられる（膨らませられる）一方、分解状態の日除けテント２は、図２に示すように、詳しくは後述する方式で組み立てられる。
【００２５】
水浴びが終われば、膨らませたプール本体１の方は、水を排出してから空気を抜き、折り畳んで保管する。テント状に組み立てた日除けテント２は、詳しくは後述するように、組み立て部品を分解した状態で保管する。つまり、この水浴び用プールセットの場合、折り畳み式のプール本体１は再折り畳み可能な構成とされ、組み立て式の日除けテント２は再分解可能な構成となっている。プール本体１は、折り畳み状態で保管できると共に、日除けテント２は分解状態で保管できるので、収納スペースが少なくて済む。
【００２６】
プール本体１は、例えば、柔軟な非通気性と非透水性を有する樹脂製シート（例えば、塩化ビニル樹脂シート等）からなり、内側に空気を注入することで膨らませられる通常構造のものである。膨らませたプール本体１は、通常、日除けテント２の中に据え置いて後、内容物の１種である水Ｗを注入する。水Ｗを入れてからプール本体１を日除けテント２の中に据え置くとすると、重量のある水Ｗも共に日除けテント２の中へ運び込まなければならず不便となる。
【００２７】
日除けテント２は、図４に示す円形状の下敷きシート（下敷き材に相当）３と、図５に示す二本のグラスファイバー製の骨材用ロッド４と、図６に示す天幕シート（シート状の日除け本体に相当）５とを具備している。下敷きシート３は、プール本体１の据え置き面を全面的に覆う広さのある防水性シート（例えば、ポリエチレン樹脂製シート）であり、下敷きシート３の周方向に治って等間隔で４箇所に骨材用ロッド４の各端部４ａが嵌め込める有底のロッド係止孔３ａが、それぞれ付設されている。骨材用ロッド４は可撓性を有しており、簡単にアーチ状に屈曲させられる構成とされている。
【００２８】
天幕シート５は、例えばポリエステル樹脂製であって、図６に示すように、全体の形が略正方形様であり、外側へ向かって半島状に突き出た伸延ピース５Ａを４隅に有すると共に、天幕シート５の中央と各伸延ピース５Ａの先端部の計五箇所に係止用紐５ａ，５ｂが取り付けられている。
【００２９】
この日除けテント２の場合、組み立てる際、図７に示すように．下敷きシート３を床面や地面に拡げておいて、二本の骨材用ロッド４の各端部４ａをロッド係止孔３ａに諦め込んで係止させることにより、骨材用ロッド４がアーチ頂上において十字状に交差した状態でアーチ状に弾性変形させられる構成とされている。
【００３０】
このように、骨材用ロッド４をアーチ状に変形させた状態で、まず、天幕シート５の中央の係止用紐５ａで、交差する両骨材用ロッド４を束ね括ることにより、天幕シート５の中央をアーチ頂上に係止させる。ロッド係止孔３ａは有底であるので、骨材用ロッド４の各端部４ａはロッド係止孔３ａの位置に固定されると同時に、係止用紐５ａにより両骨材用ロッド４の中央が固定されるので、三本の骨材用ロッド４がアーチ頂上において十字状に交差した状態で、アーチ状に変形させられ、そのままの形状を維持させられる。
【００３１】
次に、天幕シート５を骨材用ロッド４の上に拡げた状態で天幕シート５の各伸延ピース５Ａの先端部の係止用紐５ｂを、順番にアーチ基部側に近い位置に括りつけて、それぞれ係止させると、図２に示すように、日除けテント２の組み立てが完了することになる。
【００３２】
日除けテント２の場合、上記したように、二本の骨材用ロッド４の各端部４ａを下敷きシート３のロッド係止孔３ａに嵌め込んで係止させることにより、骨材用ロッド４がアーチ頂上において十字状に交差した状態で、アーチ状に変形させられるのに加え、アーチ状に変形させた骨材用ロッド４に天幕シート５を拡げた状態で係止することにより、日除けテント２が組み立てられるので、日除けテント２の組み立ては頗る簡単である。
【００３３】
なお、骨材用ロッド４は、図８（ａ）に示すように、寸法の短い複数のロッドピース４Ａからなり、複数のロッドピース４Ａが長手方向の端で一本に継ぎ合わせられる構成とされていると共に、図８（ｂ）に示すように、全ロッドピース４Ａを分離可能な構成とされている。すなわち、ロッドピース４Ａの端を、隣接するロッドピース４Ａの端に略半分の長さだけ差し込で固定してある継手用ショートパイプ４Ｂに嵌め込むことにより、ロッドピース４Ａを継ぎ合わせることができ、ロッドピース４Ａの端を継手用ショートパイプ４Ｂから引き抜くことにより、ロッドピース４Ａどうしを分離できる。
【００３４】
したがって、骨材用ロッド４の使用時だけ、複数のロッドピース４Ａを長手方向の端で継ぎ合わせて一本形にし、骨材用ロッド４の不使用時は複数のロッドピース４Ａを分離して短くした状態で骨材用ロッド４を仕舞っておける。図８では、１本の骨材用ロッド４のロッドピース４Ａの本数が５本になっているが、１本の骨材用ロッド４のロッドピース４Ａの本数は５本に限らず、４本あるいは６本や７本、その他の本数であってもよい。
【００３５】
しかも、骨材用ロッド４は、両端のロッドピース４Ａに端が固定されている弾性スリング（例えばゴム紐）４Ｃが、骨材用ロッド４の内を一端から他端にわたって、一端と他端を引き付ける方向に牽引力を発揮する状態で挿通されている。したがって、骨材用ロッド４は、ロッドピース４Ａを一本に継ぎ合せた時にロッドピース４Ａの抜けが起こり難く、逆にロッドピース４Ａを分離した時にロッドピース４Ａが散らばってしまうのを回避できる。
【００３６】
また、骨材用ロッド４は、こうして、プール本体１を膨らませると共に、日除けテント２を組み立てた後、プール本体１を日除けテント２の中に据え置いてから、水浴び用の水Ｗをプール本体１に入れると、水浴びの準備は完了する。そして、この水浴びプールセットの場合、通常、下敷きシート３のエプロン３Ａの位置から出入りする。
【００３７】
天幕シート５は、実質的にプール本体１の上方を中心に覆うだけの広さであるので、プール本体１の四方が実質的に開けていて、出入りし易いうえに、プール本体１の周りの状況を把握し易い。
【００３８】
そして、この水浴び用プールセットの場合、プール本体１の据え置き面に敷かれている日除けテント２の下敷きシート３は、下敷きシート３の上に水浴び用の水Ｗが満たされたプール本体１が置かれていることにより、日除けテント２がプール本体１に満たされている水の重みでしっかり押さえつけられているので、日除けテント２が固定された状態となっている。
【００３９】
つまり、下敷きシート３は、日除けテント２をプール本体１に満たされている水Ｗの重みを利用して固定しておく日除け移動防止手段となっているので、この水浴び用プールセットの場合、使用中に日除けテント２が風で飛ぶなどして移動するおそれがない。加えて、この水浴び用プールセットの場合、プール本体１に日除けテント２が組み合わされているので、プール本体１の大きさに合った日除けを探す必要が全く無い。
【００４０】
よって、本実施形態の水浴び用プールセットによれば．水浴びをしている間、直射日光を容易に遮ることができる。その結果、子供らは過度な日焼けを起こすおそれもなく、安心して水遊びできる。
【００４１】
防水性を有する下敷きシート３は、プール本体１の底面積よりも広いので、下敷きシート３の上に水浴び用の水Ｗが満たされたプール本体１が確実に置かれるのに加え、下敷きシート３が防水性を有するので、プール本体１の据え置き面（例えば床面）がプール本体１から零れた水で濡れるのを防ぐことができる。また、下敷きシート３はプール本体１の底を保護する役割も果たす。
【００４２】
〔別実施の形態〕
（１）上記実施形態の場合、天幕シート５が実質的にプール本体１の上方を中心に覆うだけで、プール本体１の四方が実質的に開けている構成例としたが、図９に示すように、日除けテント２の天幕シート６を左右両側も塞いでしまう構成とし、前面と背面だけが開かれていて、両側面だけが閉じている構成である他は、上記実施形態と同一の構成のものを別実施の形態として挙げることができる。
（２）さらに、図１０に示すように、日除けテント２の天幕シート７を左右両側に加えて後側も塞いでしまう構成とし、前面だけが開かれている構成としてもよい。
（３）上記実施形態の場合、下敷きシート３が円形であったが、図１１に示すように、全体の形が略十字で幅広い下敷きベルト８とすると共に下敷きベルト８の４つの先端にロッド係止孔３ａを設ける構成としてもよい。
（４）上記実施形態の場合、下敷きシート３はエプロン３Ａ付きであったが、図１２に示すように、下敷きシート９をエプロン３Ａがなくてロッド係止孔９ａは同様に４箇所設ける構成としてもよい。
（５）上記実施形態では、内容物として水を用いた水遊び用プールの例を挙げて説明したが、内容物としては、砂のようなものでもよく、本発明は、砂遊び用としても使用できる。
【図面の簡単な説明】
【００４３】
【図１】本考案の一実施形態に係る容器状遊戯具セットを構成する容器状遊戯具本体を拡げられた状態で示す斜視図
【図２】図１の容器状遊戯具セットを構成する日除けテントを組み立てた状態で示す斜視図
【図３】図１の容器状遊戯具セットの使用状態を示す斜視図
【図４】実施形態の日除けテントの下敷きシートを示す平面図
【図５】実施形態の日除けテントの骨材用ロッドを示す平面図
【図６】実施形態の日除けテントの天幕シートを示す平面図
【図７】実施形態の日除けテントの下敷きシートのロッド係止孔への骨材用ロッドの端部の嵌め込み状態を示す部分立面図
【図８】実施形態の日除けテントの骨材用ロッドの詳細を示す図であって、（ａ）は骨材用ロッドを１本に継ぎ合わせた状態を示す平面図、（ｂ）は骨材用ロッドの分離状態を示す平面図
【図９】別実施の形態の容器状遊戯具セットの使用状態を示す斜視図
【図１０】他の別実施の形態の容器状遊戯具セットの使用状態を示す斜視図
【図１１】下敷き材の変形例である下敷きベルトを示す平面図
【図１２】下敷き材の変形例である下敷きシートを示す平面
【図１３】従来技術の水浴び用プールを示す正面図
【符号の説明】
【００４４】
１            容器状遊戯具本体
２            日除け用具
３，８，９    日除け用具移動防止手段（下敷き材）
３ａ          ロッド係止孔
４            骨材用ロッド
４ａ          骨材用ロッドの端部
４Ａ          ロッドピース
５，６，７    日除け本体
Ｗ            内容物
【図１】
0003113864.tif 000003
【図２】
0003113864.tif 000004
【図３】
0003113864.tif 000005
【図４】
0003113864.tif 000006
【図５】
0003113864.tif 000007
【図６】
0003113864.tif 000008
【図７】
0003113864.tif 000009
【図８】
0003113864.tif 000010
【図９】
0003113864.tif 000011
【図１０】
0003113864.tif 000012
【図１１】
0003113864.tif 000013
【図１２】
0003113864.tif 000014
【図１３】
0003113864.tif 000015